(57)【要約】【課題】排泄後の処理が容易なペットの排泄物処理用具の提供を目的とする。【解決手段】ペットの排泄物処理用具１は、一端側に把手部３を有する用具本体２に、多数の収容袋８，８，８，・・・が順次破断可能に連結された収容袋帯６を保持する保持部５と、収容袋帯先端の収容袋６の開口部２２を開口した状態で係止する係止部４とを備えた構成にしてある。また、用具本体２の他端側が筒状に形成され、該筒状の用具本体２内に保持部５が設けられ、用具本体２と略同軸心で収容袋帯６を巻いてなるロール体９が保持部５により保持され、ロール体９から送り出された収容袋帯６先端の収容袋８を係止部５近傍に引き出すための引出口１１が用具本体２の他端側に形成されているものである。【選択図】図１
2007275011.tif 000002
【特許請求の範囲】
【請求項１】
一端側に把手部を有する用具本体に、多数の収容袋が順次破断可能に連結された収容袋帯を保持する保持部と、収容袋帯先端の収容袋の開口部を開口した状態で係止する係止部とを備えたことを特徴とするペットの排泄物処理用具。
【請求項２】
用具本体の他端側が筒状に形成され、該筒状の用具本体内に保持部が設けられ、収容袋帯を巻いてなるロール体が用具本体と略同軸心で保持部に保持され、ロール体から繰り出された収容袋帯を係止部近傍に引き出すための引出口が用具本体の他端側に形成されていることを特徴とする請求項１に記載のペットの排泄物処理用具。
【請求項３】
ロール体から繰り出された収容袋帯をロール体の軸心方向略中央部に集束させて引出口に案内する集束部を備えていることを特徴とする請求項２に記載のペットの排泄物処理用具。
【発明の詳細な説明】
【技術分野】
【０００１】
本発明は、ペットの糞処理用具に関するものである。
【背景技術】
【０００２】
近年、飼い犬等のペットの散歩に不可避の排泄物は飼い主による収集廃棄が義務化されつつある。そのため、飼い主たちは割り箸で摘み取る、スコップ等で掬い取る、手にビニール袋を被せて掴み取る、などの手段を採っている。しかしながら、これらの手段では直接糞に接触する不快感や不潔感を拭えない。これらの点にかんがみ、多様な器具が提案されてきた。
【０００３】
例えば下記特許文献１記載の犬用糞処理器は、排泄物を掬い取るシャベル部と、掬い取った排泄物を収容する中空の本体ケースと、本体ケースに収容した排泄物がケースから飛び出すのを防止する逆止弁を設けた構造のものである。この犬用糞処理器は地面や歩道等に落ちた犬などのペットの排泄物を片手で簡便に処理できるものである。
【０００４】
【特許文献１】実開平６−４５４４４号公報
【発明の開示】
【発明が解決しようとする課題】
【０００５】
しかしながら、上記特許文献１記載の犬用糞処理器ではシャベル部によって排泄物を掬い上げてケース自体に取り入れることとなるため、その後、排泄物を廃棄する際には、ケース内に道具を差し入れて掻き出さなければならなくなる。このようなペットの排泄物処理具では、ケース自体が汚れることになり実用的でない。また、排泄物を処分するときにもその排泄物を見なければならず、取り扱いに不快感を伴う。
【０００６】
本発明は、上記した従来の問題点に鑑みてなされたものであって、排泄後の処理が容易なペットの排泄物処理用具の提供を目的とする。
【課題を解決するための手段】
【０００７】
上記目的を達成するために、本発明に係るペットの排泄物処理用具は、一端側に把手部を有する用具本体に、多数の収容袋が順次破断可能に連結された収容袋帯を保持する保持部と、収容袋帯先端の収容袋の開口部を開口した状態で係止する係止部とを備えた構成にしてある。
【０００８】
また、前記構成において、用具本体の他端側が筒状に形成され、該筒状の用具本体内に保持部が設けられ、用具本体と略同軸心で収容袋帯を巻いてなるロール体が保持部により保持され、ロール体から送り出された収容袋帯先端の収容袋を係止部近傍に引き出すための引出口が用具本体の他端側に形成されているものである。
【０００９】
そして、前記した構成において、ロール体から送り出された収容袋帯先端の収容袋の少なくとも一部をロール体の軸心方向略中央部に集束させて引出口に案内する集束部が保持部に設けられているものである。
【発明の効果】
【００１０】
本発明に係るペットの排泄物処理用具によれば、ペットの排泄物を収容する多数の収容袋が順次破断可能に連結され、収容袋帯を構成し、この収容袋帯が用具本体に保持されており、使用時には収容袋帯先端の収容袋の開口部を開口した状態で係止部に係止するので、ペットの排泄後は排泄物を収容した収容袋を取り外して廃棄するだけでよいので、地面や歩道等に落下した排泄物を掬い上げるといった作業をする必要もなく、簡単にペットの排泄物を処分することができる。
【００１１】
また、筒状に形成された用具本体の他端側に保持部が設けられ、この保持部によって収容袋帯を巻いてなるロール体が用具本体と略同軸心で保持され、ロール体から繰り出された収容袋帯を引き出すための引出口が形成されている場合は、新たに複数の収容袋を用具本体内部に収容する作業が非常に容易となり、また、嵩張らず、散歩などの際にも容易に所持することができる。
【００１２】
そして、ロール体から送り出された収容袋帯をロール体の軸心方向略中央部に集束させて引出口に案内する集束部が保持部に設けられている場合は、ロール体の軸心方向に収容袋を引き出す際であっても、軸心方向に直角な向きに収容袋が引っ張られるため、ロール体から円滑に収容袋を取り出すことができる。
【発明を実施するための最良の形態】
【００１３】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係るペットの排泄物処理用具１の斜視図、図２は前記ペットの排泄物処理用具１の縦断面図である。各図において、この実施形態に係るペットの排泄物処理用具１は、筒状の用具本体２を備え、用具本体２の一端側には把手部３を有し、他端側には保持部５を、他端側の先端に係止部４を備えている。
【００１４】
用具本体２は全長が５０ｃｍ〜１５０ｃｍ程度の筒状体であり、用具本体２ａが用具本体２ｂの筒内に挿入されることで長手方向に伸縮自在となっている。用具本体２の長手方向中央部には係止部４を照らす小型の照明器具２７が取り付けられている。把手部３は断面が直径２ｃｍ〜７ｃｍの略円形状である。
【００１５】
用具本体２の他端側の先端部から長手方向に１０ｃｍ〜３０ｃｍ程度の部分は断面が長径２ｃｍ〜１５ｃｍ程度の楕円状に形成され、用具本体２ｂの内壁が、後述するロール体９を保持する保持部５となっている。また、他端側先端開口にはヒンジ部２５を介して用具本体２ｂに固定された蓋部材７が設けられている。蓋部材７には掛止部２６が設けられ、この掛止部２６により用具本体２ｂの先端開口を蓋止めするよう掛止される。また、蓋部材７には略円形の貫通孔である引出口１１が形成されている。
【００１６】
図３に、用具本体２の他端側、受部１４、ロール体９、及びロール体収容部１８の分解斜視図を示す。図３に示すように保持部５は多数の収容袋８，８，８，・・・が連結された収容袋帯６を巻いてなるロール体９を保持する構造を有する。即ち、ペットの排泄物を収容する収容袋８は開口部２２の周長が１０ｃｍ〜６０ｃｍであり、３０枚〜９０枚程度といった多数の収容袋８，８，８，・・・が順次破断可能に連結されて収容袋帯６を構成する。この収容袋帯６が巻かれてロール体９を形成している。
【００１７】
ロール体９は筒状のロール体収容部１８に収容される。ロール体収容部１８は軸心方向の長さが１０ｃｍ〜３０ｃｍの断面略円形の筒状体であり、上端が開口し、下端が閉止している。但し、下端が開口していてもよい。また、ロール体収容部１８の軸心方向略中央部に集束部１０が設けられている。集束部１０とはロール体収容部１８に形成された略円形の貫通孔のことであり、集束部１０からロール体収容部１８の一方の先端開口までスリット１２で連通している。スリット１２のスリット幅は１ｍｍ〜５ｍｍ程度である。スリット１２の先端開口近傍はスリット幅が大きくなり扇形に広がった拡開部１３となっている。
【００１８】
ロール体収容部１８は受部１４内に挿入される。図３においては、分解した構造を示しているが、受部１４は用具本体２の筒状体内壁である保持部５に固定されている。受部１４はロール体収容部１８を内部に容易に挿入できるよう、その内径がロール体収容部１８の外径より若干大きくなっている。また、受け部１４にはその下端開口から上端近傍までスリット幅が１０ｍｍ〜３０ｍｍのスリット１５が形成され、スリット１５の上端部はスリット幅方向中央部が下方に突出した突出部１６を有している。図４に拡大して示すように、受部１４の筒内にロール体収容部１８が挿入された際、突出部１６が拡開部１３に当接して周方向固定するようになっている。
【００１９】
ロール体９、ロール体収容部１８、受部１４、及び用具本体２の軸心が全て略同軸心となるよう保持部５によって保持される。また、ロール体収容部１８及び受部１４にそれぞれ形成されたスリット１２，１５が用具本体２他端側開口の断面略楕円形の長径に沿う向きに固定され、スリット１２，１５と筒状の用具本体２の側壁との間には空間部２８が確保される。この空間部２８内で集束部１０により集束された収容袋帯６が取出口１１に案内される。
【００２０】
蓋部材７には、引出口１１から引出された収容袋帯６先端の収容袋８の開口部２２を開口した状態で係止する係止部４が取り付けられている。係止部４は可撓性の合成樹脂板又は金属板等からなり平面視一部切り欠いたリング状に形成されている。湾曲部分の周方向長さは８ｃｍ〜５５ｃｍ程度であり、収容袋８の開口部２２の周長より若干短くなっている。また、ペットが排泄する際にペットの後ろ足に係止部４が接触しないように、切欠き端部分は、前進してややすぼめて形成されていることが好ましい。
【００２１】
引続き、ペットの排泄物処理用具１の動作につき、以下に説明する。収容袋６のロール体９がロール体収容部１８に収容される。この際、ロール体９から引き出された収容袋帯６がスリット１２を通されて集束部１０に集束される。
【００２２】
続いて、ロール体収容部１８は用具本体２の他端開口から筒内に挿入されて受部１４に装着される。この際、ロール体収容部１８のスリット１２と受部１４のスリット１５が一致するよう、受部１４に対しロール体収容部１８が周方向に位置決めされ、受部１４の突出部１６がロール体収容部１８の拡開部１３に当接する。これにより、ロール体収容部１８が用具本体２内で回転するといった不具合を防止できる。
【００２３】
収容袋帯６は集束部１０に集束されて蓋部材７の引出口１１まで案内され引出口１１から用具本体２の筒外へ引出され、開口していた用具本体２の他端が蓋部材７により蓋止めされる。そして、最先端の収容袋８が係止部４の切り欠いた部分から係止部４に引き込まれた後、収容袋８の開口部２２が開かれ係止部４の外方へ折り返されて係止部４上に係止される。即ち、係止部４の湾曲部分の周方向長さは収容袋８の開口部２２の周長より若干短く、また、係止部４は可撓性材料により構成されているので、必要により係止部４を撓ませる等して収容袋８の開口部２２を係止部４に覆い被せることにより収容袋８が係止される。
【００２４】
図５にペットの排泄の際のペットの排泄物処理用具１の使用態様図を示す。ペットが排泄する際には本用具の利用者が把手部３を持ち、蓋部材７の一部を地面等に着けて、収容袋８の開口部２２を係止した係止部４をペットの排泄位置に置く。そして、ペットの排泄物を収容袋８内に落下させた後、係止部４から収容袋８を外すと共に、排泄物を収容した収容袋８を次の収容袋８と連結部分で破断して分離し、排泄物入りの収容袋８を廃棄する。更に、次回のペットの排泄物処理の際には収容袋帯６を引出口１１から引き出し、先端の収容袋８の開口部２２を開いて、係止部４に係止すればよい。
【００２５】
以上より、本実施形態に係るペットの排泄物処理用具１によれば、ペットの排泄物を収容する多数の収容袋８，８，８，・・・が順次破断可能に連結されて、収容袋帯６を構成し、この収容袋帯６が用具本体２の保持部５内に保持されているので、ペットの排泄の度に新たな収容袋８を別途準備し所持するといった必要がない。また、排泄物の処分は係止部４に係止されていた収容袋８を取り外して廃棄するだけでよいので、非常に簡単にペットの排泄物を処分することができる。よって、地面や歩道等に落下した排泄物を掬い上げるといった作業をする必要がなく、直接糞に接触することで生じる不快感や不潔感も軽減できる。
【００２６】
また、用具本体２の他端側が筒状に形成され、該筒状の用具本体２内に保持部５を備え、収容袋帯６を巻いてなるロール体９が保持部５により保持され、ロール体９から繰り出された収容袋帯６を係止部４近傍に引き出すための引出口１１が用具本体２の他端側に形成されているので、複数の収容袋８，８，８，・・・を新たに用具本体内部に収容する作業が非常に容易となる。また、複数の収容袋８，８，８，・・・を用具本体２内に収容しているにもかかわらず、嵩張らず、散歩などの際にも容易に所持することができる。
【００２７】
また、用具本体２は用具本体２ａが用具本体２ｂ内に収容されることにより、伸縮自在に構成されているので、ペットが排泄行為を行っていないときには小さくして嵩張らずに所持、保管をすることができる。また、ロール体収容部１８に拡開部１３が、受部１４に突出部１６がそれぞれ設けられているので、ロール体収容部１８及び受部１４の各々のスリット１２，１５が一致するように受部１４の筒内にロール体収容部１８が挿入されると、受部１４の突出部１６はロール体収容部１８の拡開部１３と当接することとなる。これにより、ロール体収容部１８は用具本体２内で回転せず、収容袋帯６を円滑に引き出すことができる。
【００２８】
そして、ロール体９の軸心方向略中央部に収容袋帯６を集束させる集束部１０が設けられている。よって、ロール体９の軸心方向と平行方向になるよう引出口１１から収容袋帯６を引き出そうとする場合であっても、収容袋帯６がロール体９の軸心方向略中央部に集束され、その結果、ロール体９の軸心方向に直角な向きに収容袋帯６が引っ張られこととなり、ロール体９から円滑に収容袋帯６を引き出すことができる。
【００２９】
尚、上記の実施形態では、用具本体２の全体が筒状に形成されていたが、本発明のペットの排泄物処理用具はこれに限定されるものでなく、例えば全体又は一部が中実棒状、針金状、板状等であってもよい。また把手部３は断面が直径２ｃｍ〜７ｃｍの略円形状であったが、手で握ることのできる大きさ、形状であれば他の大きさでもよく、形状も断面矩形状や多角形状の筒状であってもよく、中実棒状、針金状、板状等であってもよい。
【００３０】
また、保持部５は断面楕円形状の筒状体内壁としたが、収容袋帯６を保持できれば、断面矩形状や多角形状の筒状体内壁又は外壁であってもよく、中実棒状、針金状、板状等の部材であってもよい。
【００３１】
また、ロール体９を保持部５によって保持する際にロール体９と保持部５との間に介在する部材は上記ロール体収容部１８及び受け部１４に限定されず、図６に示す構成のものであってもよい。即ち、図６はロール体９を保持部５によって保持する際にロール体９と保持部５との間に介在する部材の他の実施形態を示す正面図である。同図（ａ）は、金属製の線条により構成されたロール体支持部１９ａが平面視略円形の底部２０の中心を貫通し、この線条が折り返され、ロール体９の軸心方向略中央部にあたる部分に集束部１０ａが形成されたものである。集束部１０ａは線条が側面視略円形に一回転半巻かれてなる構造を有する。そして、ロール体９の軸心がロール体支持部１９ａに回動自在に軸支され、ロール体９からの収容袋帯６が略円形状の集束部１０ａの中を通され下向きに引き出されて使用される。
【００３２】
また同図（ｂ）は、金属製の線条により構成されたロール体支持部１９ｂが平面視略円形の頂部２１の中心を貫通し、この線条が折り返され、ロール体９の軸心方向略中央部にあたる部分に集束部１０ｂが設けられたものである。集束部１０ｂの形状は正面視略Ｊ字状である。そして、ロール体９の軸心がロール体支持部１９ｂに回動自在に軸支され、ロール体９からの収容袋帯６が集束部１０ｂに係止され、その後下向きに引き出され使用される。
【００３３】
また、同図（ｃ）は、平断面略円形筒状のロール体収容部１８ｃの軸方向中央部に、集束部１０ｃが設けられている。集束部１０ｃは側壁の曲面に対し略直角に凸設され、上面にＶ字状の受け部が形成されている。尚、この受け部はＵ字状や他の形状であってもよい。集束部１０ｃ近傍からロール体収容部１８ｃの上端までスリット幅１ｍｍ〜２０ｍｍ程度のスリット１２ｃが形成されている。そして、ロール体９がロール体収容部１８ｃの上面開口からその内部に収容され、収容袋帯６がスリット１２ｃから引き出されて集束部１０ｃのＶ字状の受け部によって係止され、その後下向きに引き出されて使用される。
【００３４】
尚、前記したロール体収容部１８，１８ｃ，１９ａ，１９ｂや受部１４を省略することも可能である。即ち、収容袋帯６を線条部材のようにして順次巻いていくか、又は、不規則に集合させて塊状にし、何も介さずに保持部５により保持させてもよい。これらによって、構造がより簡単となり製造コストも軽減できる。
【図面の簡単な説明】
【００３５】
【図１】本発明の一実施形態に係るペットの排泄物処理用具の斜視図である。
【図２】前記ペットの排泄物処理用具の縦断面図である。
【図３】前記ペットの排泄物処理用具の用具本体の他端側における分解斜視図である。
【図４】前記ペットの排泄物処理用具のロール体収容部及び受部の部分拡大図である。
【図５】前記ペットの排泄物処理用具の使用態様図である。
【図６】本発明の他の実施形態に係るペットの排泄物処理用具のロール体収容部の正面図である。
【符号の説明】
【００３６】
１  ペットの排泄物処理用具
２  用具本体
３  把手部
４  係止部
５  保持部
６  収容袋帯
８  収容袋
９  ロール体
１０  集束部
１１  引出口
【図１】
2007275011.tif 000003
【図２】
2007275011.tif 000004
【図３】
2007275011.tif 000005
【図４】
2007275011.tif 000006
【図５】
2007275011.tif 000007
【図６】
2007275011.tif 000008